(57)【要約】【課題】電気品の着脱が容易な空気調和機を提供する。【解決手段】内部に冷凍サイクルの一部を構成する部品である熱交換器１０が収容された筺体４０と、電気品を取り付けた電気品箱６０と、電気品箱６０の開口６１ｃを塞ぐ蓋部材７０と、を備え、筺体４０には開口部４１ｓが形成され、電気品箱６０が開口部４１ｓを介して筺体４０内に収納され、蓋部材７０が筺体４０の外郭を構成している。【選択図】図２
2017141966.tif 000002
【特許請求の範囲】
【請求項１】
内部に冷凍サイクルの一部を構成する部品が収容された筺体と、
電気品を取り付けた電気品箱と、を備え、
前記筺体は、開口部を有し、
前記電気品箱は、前記開口部を塞ぐようにして前記筺体に着脱可能に取り付けられていることを特徴とする空気調和機。
【請求項２】
前記電気品箱は、前記開口部を介して前記筺体内に収納されることを特徴とする請求項１に記載の空気調和機。
【請求項３】
前記電気品箱は、当該電気品箱の縁の全周に前記開口部の縁部に当接するフランジ部を有することを特徴とする請求項２に記載の空気調和機。
【請求項４】
前記電気品箱は、取り外し可能な蓋部材を備え、
前記蓋部材は、前記筺体の外郭を構成していることを特徴とする請求項３に記載の空気調和機。
【請求項５】
前記蓋部材は、前記フランジ部に固定されていることを特徴とする請求項４に記載の空気調和機。
【請求項６】
前記電気品箱の周壁部は、当該電気品箱の開口側を向いて形成される傾斜面を有することを特徴とする請求項４または請求項５に記載の空気調和機。
【請求項７】
前記電気品箱は、前記筺体の冷媒配管が突出する側と同じ側に取り付けられていることを特徴とする請求項１から請求項６のいずれか１項に記載の空気調和機。
【発明の詳細な説明】
【技術分野】
【０００１】
本発明は、天井埋込型の空気調和機に関する。
【背景技術】
【０００２】
従来の空気調和機の室内機は、内部に冷凍サイクル（一部）を形成する部品が収容されたキャビネット（筺体）、キャビネットに設けられる制御基板等の電気品、電気品を覆う電気品遮蔽部材である蓋を備えている（例えば、特許文献１参照）。また、空気調和機の室内機は、天井内の吊り具に固定することで天井裏に隠れた状態で据え付けられる。
【先行技術文献】
【特許文献】
【０００３】
【特許文献１】特開平１１−１７３５９９号公報
【発明の概要】
【発明が解決しようとする課題】
【０００４】
しかしながら、特許文献１に記載の空気調和機では、電気品がキャビネットの外郭（板金）に直付けとなっているため、電気品を交換する際の作業性が悪くなるという問題があった。
【０００５】
本発明は、前記した従来の問題を解決するものであり、電気品の着脱が容易な空気調和機を提供することを目的とする。
【課題を解決するための手段】
【０００６】
本発明は、内部に冷凍サイクルの一部を構成する部品が収容された筺体と、電気品を取り付けた電気品箱と、を備え、前記筺体は、開口部を有し、前記電気品箱は、前記開口部を塞ぐようにして取り付けられることを特徴とする。
【発明の効果】
【０００７】
本発明によれば、電気品の着脱が容易な空気調和機を提供できる。
【図面の簡単な説明】
【０００８】
【図１】本実施形態に係る空気調和機の使用状態を示す断面図である。
【図２】本実施形態に係る空気調和機の分解斜視図である。
【図３】電気品が取り付けられた電気品箱を示す正面図である。
【図４】電気品箱の傾斜面に電気品を取り付けている状態を示す断面図である。
【図５】本実施形態に係る空気調和機の要部を示す側面図である。
【図６】本実施形態に係る空気調和機の要部を示す平面図である。
【発明を実施するための形態】
【０００９】
以下、本発明の実施形態に係る空気調和機１について図面を参照して説明する。なお、以下では、方向を分かり易くため、上下、左右、前後の各方向を図示して説明する。
図１は、本実施形態に係る空気調和機の使用形態を示す断面図である。なお、図１における白抜き矢印は、空気の流れを示している。また、図１に示す使用形態は、一例であって、本実施形態に限定されるものではない。
図１に示すように、空気調和機１は、室内の天井ボード２内に埋め込まれて使用される天井埋込型の室内機であり、熱交換器１０と、送風ファン２０と、ドレンパン３０と、熱交換器１０（冷凍サイクルの一部を構成する部品）、送風ファン２０およびドレンパン３０を収容する筺体４０とを主に備えて構成されている。なお、冷凍サイクルの一部を構成する部品としては、熱交換器１０に限定されるものではなく、減圧弁（電子膨張弁）などの部品を含んでいてもよい。
【００１０】
また、空気調和機１は、コンクリート製の天井躯体（不図示）に吊りボルト３を介して吊り下げられている。また、空気調和機１には、後方に空気を取り込むダクト４の一端と、前方に熱交換した空気を室内に送り込むダクト５の一端とが接続されている。ダクト４の他端は、天井ボード２に形成された吸込口２ａに接続されている。吸込口２ａには、空気清浄用のフィルタ６が設けられている。ダクト５の他端は、天井ボード２に形成された吹出口２ｂに接続されている。
【００１１】
このような天井埋込型の空気調和機１においては、保守、点検、清掃等のメンテナンス用の点検口７が天井ボード２に設けられている。点検口７は、作業員が潜り込むことができる大きさのものであり、点検口７には開閉式の扉８が取り付けられている。作業員は脚立などを使用して点検口７から天井ボード２の裏側に潜り込むことによって、空気調和機１のメンテナンスを行うことができる。
【００１２】
熱交換器１０は、例えば、クロスフィンチューブ型の熱交換器であり、アルミニウムまたはアルミニウム合金製のフィンを厚み方向に複数枚並べてなるフィンプレート１１と、フィンプレート１１を貫通して配置される銅製または銅合金製の冷媒配管５０と、を備えて構成されている。また、熱交換器１０は、側面視において長方形状を呈している。
【００１３】
送風ファン２０は、熱交換器１０のフィンプレート１１間に空気を通流させるものであり、例えばシロッコファンによって構成されている。また、送風ファン２０は、熱交換器１０に空気を吹き付ける向きとなるようにして筺体４０内に配置されている。冷房運転時、熱交換器１０を通る空気が冷却されることによって空気中から水滴が分離し、この水滴がドレン水として熱交換器１０から滴下する。
【００１４】
ドレンパン３０は、例えば合成樹脂製で熱交換器１０から発生したドレン水（凝縮水）を受ける皿形状のものであり、熱交換器１０の下方に配置されている。
【００１５】
図２は、本実施形態に係る空気調和機の分解斜視図である。なお、図２は、ダクト４，５（図１参照）を取り外し、ダクト５が取り付けられる側から見た状態を示している。
図２に示すように、空気調和機１は、電気品箱６０と、電気品箱６０に蓋をする蓋部材７０とを備え、筺体４０に取り付けられるように構成されている。
【００１６】
筺体４０は、板金を曲げ形成することで四角箱型にしたものであり、四隅が吊りボルト３，３，３，３によって支持されている。また、筺体４０は、上板４１ａ、底板４１ｂ（図１参照）、左右の側板４１ｃ，４１ｄ、空気吐出側の前板４１ｅ、空気吸込側の背板４１ｆ（図１参照）を備えて構成されている。
【００１７】
側板４１ｃには、開口部４１ｓが筺体４０を貫通するようにして形成されている。開口部４１ｓは矩形状を呈し、前後方向の後側に位置し、換言すると熱交換器１０に対して空気の流れ方向の一次側の領域に位置するように構成されている。
【００１８】
また、側板４１ｃには、開口部４１ｓの縁部全周に、後記する電気品箱６０が当接する当接面４１ｃ１，４１ｃ２，４１ｃ３，４１ｃ４が形成されている。また、上下の当接面４１ｃ１，４１ｃ２には、ねじ固定用のねじ孔４２，４２，４３，４３が形成されている。
【００１９】
また、空気調和機１は、側板４１ｃから外側に向けて、熱交換器１０と接続される冷媒配管５０が突出するようにして構成されている。冷媒配管５０の接続部５０ａ，５０ｂは、一方が冷媒の入口で、他方が冷媒の出口であり、図示しない冷媒配管を介して室外機（不図示）と接続されている。なお、室外機には、圧縮機、熱交換器、減圧装置などが設けられ、空気調和機１（室内機）と室外機とで冷凍サイクルを構成している。
【００２０】
また、側板４１ｃから外側に向けて、ドレンパン３０に溜まったドレン水を吸い上げて機外に排出するポンプ（不図示）に接続されたドレン排出管５３と、ドレンパン３０に溜まったドレン水を排出するための水抜管５１とがそれぞれ突出している。開口部４１ｓは、ドレン排出管５３、水抜管５１、冷媒配管５０の接続部５０ａ，５０ｂから外れた位置に形成されている。なお、図示しないポンプは、フロート式のスイッチ（不図示）を備え、ドレンパン３０の受け皿の水位が所定水位を超えたときにポンプが作動するように構成されている。
【００２１】
電気品箱６０は、一枚の板金をプレス加工等によって、略直方体形状且つ開口部４１ｓに収容可能な大きさの収容部６１を有するように構成されている。また、電気品箱６０は、長方形状で平坦な底部６１ａと、この底部６１ａの全周を取り囲むように形成された周壁部６１ｂとを有し、外側（図示右側）に向けて開放する開口６１ｃを有している。なお、図２では、電気品箱６０内に取り付けられる電気品８０と、電気品箱６０および蓋部材７０を筺体４０にねじ固定するためのねじの図示を省略している。
【００２２】
また、電気品箱６０は、開口６１ｃの縁部全周（全体）に渡ってフランジ部６１ｄ，６１ｅ，６１ｆ，６１ｇを有している。フランジ部６１ｄ，６１ｅ，６１ｆ，６１ｇは、開口６１ｃの縁に沿って細長く形成されるとともに、側板４１ｃと平行な向きになるように構成されている。
【００２３】
上下のフランジ部６１ｄ，６１ｅには、それぞれ電気品箱６０を筺体４０にねじ固定するための挿通孔６１ｄ１，６１ｄ１，６１ｅ１，６１ｅ１が形成されている。前後のフランジ部６１ｆ，６１ｇには、蓋部材７０をねじ固定するためのねじ孔６１ｆ１，６１ｆ１，６１ｇ１が形成されている。なお、挿通孔６１ｄ１，６１ｅ１とねじ孔６１ｆ１，６１ｇ１の数や位置については適宜変更できる。
【００２４】
蓋部材７０は、電気品箱６０の開口６１ｃの全体を塞ぐ四角板形状のものである。また、蓋部材７０も、筺体４０や電気品箱６０と同様に板金によって構成されている。また、蓋部材７０は、上下方向の高さ寸法Ｈが、フランジ部６１ｄ，６１ｅの挿通孔６１ｄ１，６１ｅ１と重ならないように形成され、前後方向の幅寸法Ｗが、フランジ部６１ｆ，６１ｇのねじ孔６１ｆ１，６１ｇ１と重なるように形成されている。また、蓋部材７０には、ねじ孔６１ｆ１と対応する位置に挿通孔７１ａが形成され、ねじ孔６１ｇ１に対応する位置に挿通孔７１ｂが形成されている。
【００２５】
図３は、電気品が取り付けられた電気品箱を示す正面図である。
図３に示すように、電気品箱６０内には、電気品８０として、制御基板８１、ノイズフィルタ基板８２、ＤＣインバータ基板８３、電源供給用の端子台８４、リモコン用の端子台８５などが設けられている。なお、図３に示す電気品８０は、一例であって、本実施形態に限定されるものではない。
【００２６】
制御基板８１、ノイズフィルタ基板８２およびＤＣインバータ基板８３は、収容部６１の底部６１ａに取り付けられている。端子台８４，８５は、周壁部６１ｂに取り付けられ、正面視において前記制御基板８１、ノイズフィルタ基板８２およびＤＣインバータ基板８３の下方に位置している。
【００２７】
また、端子台８４は、現地において電源を供給する電源供給部（コンセント）から電線（不図示）を介して接続され、リード線８６を介して制御基板８１と接続されている。また、端子台８５は、現地においてリモコン用の電線が接続され、リード線８７を介して制御基板８１と接続されている。制御基板８１は、リード線８６から供給された電力を、筺体４０内の送風ファン２０を駆動するモータなどに供給する。
【００２８】
図４は、電気品箱の傾斜面に電気品を取り付けている状態を示す断面図である。なお、図４では、電気品箱６０が取り付けられる筺体４０の図示を省略している。
図４に示すように、端子台８４が取り付けられる周壁部６１ｂは、奥側から手前側（底部６１ａからフランジ部６１ｅ）に向けて下るように傾斜する傾斜面６１ｂ１を有している。また、端子台８５も同様に、傾斜面６１ｂ１に取り付けられている。
【００２９】
端子台８４は、ねじ８４ａを介して傾斜面６１ｂ１に固定されている。ねじ８４ａは、端子台８４の上面から端子台８４を貫通して、傾斜面６１ｂ１にねじ込まれることで端子台８４を傾斜面６１ｂ１に固定している。なお、端子台８５についても同様にねじ固定される。
【００３０】
ところで、端子台８４を固定する設置面（周壁部６１ｂ）が底部に対して垂直な面（鉛直方向上向きの面）であると、端子台８４をねじ固定する際に、ねじの頭が鉛直方向上向きになるので、取り付け作業が難しくなり、また端子台８４の背面から出るリード線に無理な力がかかるおそれがある。また、端子台８４を制御基板８１等が固定される底部６１ａと同じ面に固定すると、端子台８４に接続する電線（不図示）が１回折れ曲がるので、それを防ぐために電気品箱６０を大きくする必要が生じる。
【００３１】
そこで、本実施形態では、図４に示すように、電気品箱６０に、開口６１ｃ側(筺体４０の外側）に設置面が向くように傾斜面６１ｂ１を形成することで、工具Ｓをねじ８４ａの頭の溝に挿入し易くなり、端子台８４（電気品）の取り付けが容易になる。また、端子台８４の取り外しも容易になる。また、端子台８４を傾斜面６１ｂ１に取り付けることで、端子台８４の背面から出るリード線８６に無理な力が作用するのが抑制される。
【００３２】
図５は、本実施形態に係る空気調和機の要部を示す側面図である。
図５に示すように、電気品箱６０は、側板４１ｃの開口部４１ｓ（図２参照）に挿入し、さらに奥まで挿入することで、電気品箱６０のフランジ部６１ｄ，６１ｅ，６１ｆ，６１ｇが、側板４１ｃの周囲の当接面４１ｃ１，４１ｃ２，４１ｃ３，４１ｃ４に当接し、電気品箱６０の押し込み動作が規制される。これにより、電気品箱６０を、筺体４０内の所定の位置に収容することができる。
【００３３】
そして、ねじ７２をフランジ部６１ｄの挿通孔６１ｄ１（図２参照）に挿通した後に側板４１ｃの当接面４１ｃ１のねじ孔４２（図２参照）にねじ込む。また、ねじ７３を挿通孔６１ｅ１（図２参照）に挿通した後に側板４１ｃの当接面４１ｃ２のねじ孔４３（図２参照）にねじ込む。これにより、電気品箱６０が筺体４０の側板４１ｃに固定される。
【００３４】
そして、蓋部材７０を電気品箱６０の開口６１ｃを塞ぐように重ね、ねじ７４を挿通孔７１ａ（図２参照）に挿通した後に電気品箱６０のねじ孔６１ｆ１にねじ込む。また、ねじ７５を挿通孔７１ｂ（図２参照）に挿通した後にフランジ部６１ｇのねじ孔６１ｇ１にねじ込む。これにより、蓋部材７０が電気品箱６０の開口６１ｃを塞いだ状態で、電気品箱６０に固定される。なお、ねじ７４，７５は、筺体４０の側板４１ｃにはねじ込まれていない。
【００３５】
図６は、本実施形態に係る空気調和機の要部を示す平面図である。なお、説明を分かり易くするため、板の厚みを実際よりも誇張して図示している。
図６に示すように、電気品箱６０は、筺体４０内に収容部６１の全体が収納された状態となり、フランジ部６１ｄ，６１ｆ，６１ｇが側板４１ｃの当接面４１ｃ１，４１ｃ３，４１ｃ４に面で当接する。なお、図示していないが、フランジ部６１ｅは、側板４１ｃの当接面４１ｃ２に当接する。また、蓋部材７０は、平坦な側板４１ｃの表面とほぼ面一となった状態で（側板４１ｃから大きく突出することなく）電気品箱６０に固定される。
【００３６】
以上説明したように、本実施形態の空気調和機１は、内部に熱交換器などの冷凍サイクルの一部を構成する部品が収容された筺体４０と、電気品８０を取り付けた電気品箱６０と、が備えられ、筺体４０には開口部４１ｓが形成され、電気品箱６０が開口部４１ｓを塞ぐようにして筺体４０に着脱可能に取り付けられている。これによれば、筺体４０に着脱可能な電気品箱６０に電気品８０が取り付けられているので、従来のように電気品が筺体に直付けされている場合と比べて、電気品箱６０を取り外すだけで電気品８０を筺体４０から取り外すことができるので、電気品８０の着脱における作業性を向上できる。
【００３７】
また、本実施形態では、電気品箱６０が開口部４１ｓを介して筺体４０内に収納されている（図６参照）。これによれば、製品（空気調和機１）の外観がコンパクトになるとともに、輸送時などに電気品箱６０が接触するのを防止できるので外力から製品を保護することができる。
【００３８】
また、本実施形態では、電気品箱６０の縁の全周に開口部４１ｓの当接面４１ｃ１，４１ｃ２，４１ｃ３，４１ｃ４に接するフランジ部６１ｄ，６１ｅ，６１ｆ，６１ｇを有している。これによれば、電気品箱６０を筺体４０に取り付ける際、電気品箱６０が筺体４０の奥へと入り込み過ぎず、組立時の作業性を向上できる。また、フランジ部６１ｄ，６１ｅ，６１ｆ，６１ｇが全周に設けられているので、開口部４１ｓの周縁部全体を密閉することができ、筺体４０内を通る空気が開口部４１ｓから漏れ出るのを防止できる。
【００３９】
また、本実施形態では、電気品箱６０が取り外し可能な蓋部材７０を備え、蓋部材７０が筺体４０の外郭を構成している。これによれば、電気品箱６０の中の電気品８０を確実に保護することができる。
【００４０】
また、本実施形態では、蓋部材７０が電気品箱６０のフランジ部６１ｆ、６１ｇに固定されている。これによれば、蓋部材７０を取り外さなくても電気品８０（電気品箱６０）を筺体４０から取り外すことができるので、電気品箱６０を着脱する際の作業性を向上できる。
【００４１】
また、本実施形態では、電気品箱６０は、電気品８０が取り付けられる設置面が前記筺体の外側を向いて形成される傾斜面を有する。これによれば、現地での端子台８４，８５の着脱作業や配線結線時の作業性を向上できる。
【００４２】
また、本実施形態では、電気品箱６０が筺体４０の冷媒配管５０が突出する側と同じ側（側板４１ｃ側）に取り付けられている。これによれば、冷媒配管５０やドレン配管（水抜孔５１、ドレン排出管５３）が突出する側に電気品箱６０が取り付けられているので、同一方向からのサービスが可能であり、サービス性が向上する。
【００４３】
また、本実施形態では、開口部４１ｓが送風ファン２０と対応する位置に形成されているので、電気品箱６０と蓋部材７０を取り外すことで、筺体４０内にある送風ファン２０の状態を目視確認することができ、製品の保守、点検に役立てることができる。
【００４４】
なお、本発明は、前記した実施形態に限定されるものではなく、本発明の要旨を超えない範囲において種々変更することができる。例えば、電気品８０を取り付けた電気品箱６０を、開口６１ｃを筺体４０側に向けて、電気品箱６０で開口部４１ｓを塞ぐようにして筺体４０の側板４１ｃに着脱可能に取り付けるようにしてもよい。
【符号の説明】
【００４５】
１      空気調和機
１０    熱交換器（冷凍サイクルの一部を構成する部品）
２０    送風ファン
３０    ドレンパン
４０    筺体
４１ｃ  側板
４１ｃ１，４１ｃ２，４１ｃ３，４１ｃ４  当接面（開口部の縁部）
４１ｓ  開口部
５０    冷媒配管
６０    電気品箱
６１    収容部
６１ａ  底部
６１ｂ  周壁部
６１ｂ１  傾斜面
６１ｃ  開口
６１ｄ，６１ｅ，６１ｆ，６１ｇ  フランジ部
７０    蓋部材
８０    電気品
８４，８５  端子台
８６，８７  配線
【図１】
2017141966.tif 000003
【図２】
2017141966.tif 000004
【図３】
2017141966.tif 000005
【図４】
2017141966.tif 000006
【図５】
2017141966.tif 000007
【図６】
2017141966.tif 000008